【手続補正書】
【提出日】平成17年8月23日(2005.8.23)
【手続補正１】
【補正対象書類名】明細書
【補正対象項目名】発明の名称
【補正方法】変更
【補正の内容】
【発明の名称】無線電話システムおよび通信方法
【手続補正２】
【補正対象書類名】明細書
【補正対象項目名】特許請求の範囲
【補正方法】変更
【補正の内容】
【特許請求の範囲】
【請求項１】  （ａ）１つ以上の外部電話回線に接続可能で、ベース送受信機を有するベースユニットと、
（ｂ）前記ベースユニットとの間に前記ベース送受信機を介して無線チャネル上でディジタル・リンクを設定するハンドセット送受信機を有する、少なくとも１つの無線ハンドセットと、
を具え、
特徴として、
前記ディジタル・リンクは、固定数のオーディオ・データ・サンプルと複数のエラー訂正ビットとからなる固定サイズのオーディオ・パケットを使用し、各オーディオ・パケットは、複数のパケット構成の中の１つを有し、
さらに、
（ｃ）前記ディジタル・リンクをモニタして、前記ハンドセットおよび前記ベースユニットのうち一方によって前記チャネル上で受信したオーディオ・パケットのビット・エラー・レートの変化を判定する手段と、
（ｄ）前記判定に応答して、前記固定サイズを有する後続のオーディオ・パケットが、前記エラー・レートが増大した場合にはより少数のビットを前記固定数のオーディオ・データ・サンプルの各々に割り当てかつより多数のビットをエラー訂正に割り当てるように、また、前記エラー・レートが減少した場合にはその逆の形態になるように、前記後続のオーディオ・パケットのパケット構成を変更する手段と、
を具える、無線電話システム。
【請求項２】  前記データ・サンプルは適応型差分パルス・コード変調（ＡＤＰＣＭ）サンプルであり、各ＡＤＰＣＭサンプルは多数のビットを有するものである、請求項１に記載のシステム。
【請求項３】  前記ベースユニットは前記手段（ｃ）および手段（ｄ）を含むものである、請求項１に記載のシステム。
【請求項４】  前記ビット・エラー・レートが閾値を越えたまたはその閾値より低くなった場合には、前記ハンドセットは範囲限界を越えたまたはその範囲限界内に収まったと判断され、
前記ハンドセットが範囲限界を越えたまたはその範囲限界内に戻ったときには、手段（ｄ）がパケット構成を変更するものである、請求項１に記載のシステム。
【請求項５】  （ｅ）前記ハンドセットおよび前記ベースユニットのうちの一方によって前記チャネル上で受信した信号強度をモニタする手段をさらに具え、
後続のオーディオ・パケットのパケット構成を変更する前記手段（ｄ）は、前記手段（ｃ）の前記判定と前記手段（ｅ）の判定のうちの少なくとも一方に応答して前記パケット構成を変更するものである、
請求項１に記載のシステム。
【請求項６】  前記複数のパケット構成は、
１オーディオ・データ・サンプル当たり最大数のビットと最小数のエラー訂正ビットとを有する高品質パケット構成と、
１オーディオ・データ・サンプル当たり中間数のビットと中間数のエラー訂正ビットとを有する中品質パケット構成と、
１オーディオ・データ・サンプル当たり最小数のビットと最大数のエラー訂正ビットとを有する低品質パケット構成と、からなるものである、請求項１に記載のシステム。
【請求項７】  前記高品質オーディオ・パケット構成はバースト・エラー訂正巡回符号を使用し、
前記中品質オーディオ・パケット構成は２×インタリーブ型バースト・エラー訂正巡回符号を使用し、
前記低品質オーディオ・パケット構成は４×インタリーブ型バースト・エラー訂正巡回符号を使用するものである、請求項６に記載のシステム。
【請求項８】  前記オーディオ・パケットは、オーディオ・パケット・ヘッダ・フィールド、データ・フィールド、固定数のオーディオ・データ・サンプルを含むオーディオ・データ・フィールド、および前記複数のエラー訂正ビットを含むパリティ・ビット・フィールドからなるものである、請求項７に記載のシステム。
【請求項９】  前記中品質および低品質パケット構成において、余分なエラー訂正ビットは、一部がパリティ・ビット・フィールドに、一部がヘッダ・フィールドに割り当てられ、中品質または低品質パケット構成オーディオ・パケットを用いるディジタル・リンクに関連付けられたより高いエラー・レートの所与のオーディオ・パケットを前記システムによってロックオンするためのより長い時間を与えるものである、請求項８に記載のシステム。
【請求項１０】  前記ハンドセットを含む複数の無線ハンドセットをさらに具え、
前記ベースユニットは複数の論理ベース送受信機を有し、
前記複数のハンドセットの各ハンドセットは、前記ベースユニットとの間に、対応する論理ベース送受信機を介して、共用ＲＦチャネル上で時分割多元接続（ＴＤＭＡ）リンクを設定するハンドセット送受信機を有するものであり、
アクティブなハンドセットにタイムスライスを割り当てるＴＤＭＡ方式の排他的タイムスライスの期間に、各ハンドセットが通信するものである、請求項１に記載のシステム。
【請求項１１】  無線電話システムにおけるベースユニットと無線ハンドセットの間で通信する方法であって、
前記ベースユニットは、１つ以上の外部電話回線に接続可能で、ベース送受信機を有し、
前記ハンドセットはハンドセット送受信機を具えるものであり、
（ａ）前記ハンドセット送受信機と前記ベース送受信機の間に、無線チャネル上でディジタル・リンクを設定するステップを含み、
特徴として、
前記ディジタル・リンクは、固定数のオーディオ・データ・サンプルと複数のエラー訂正ビットとからなる固定サイズのオーディオ・パケットを使用し、
各オーディオ・パケットは複数のパケット構成の中の１つを有するものであり、
さらに、
（ｂ）前記ディジタル・リンクをモニタして、前記ハンドセットおよび前記ベースユニットのうちの一方によって前記チャネル上で受信したオーディオ・パケットのビット・エラー・レートの変更を判定するステップと、
（ｃ）前記判定に応答して、前記固定サイズを有する後続のオーディオ・パケットが、前記エラー・レートが増大した場合にはより少数のビットを前記固定数のオーディオ・データ・サンプルの各々に割り当てかつより多数のビットをエラー訂正に割り当てるように、また、前記エラー・レートが減少した場合にはその逆の形態になるように、前記後続のオーディオ・パケットのパケット構成を変更するステップと、
を含む、方法。
【請求項１２】  前記ステップ（ｂ）は、前記ビット・エラー・レートが閾値を越えたまたはその閾値より低くなった場合には、前記ハンドセットがそれぞれ範囲限界を越えたまたはその範囲限界内に収まったと判断するステップを含むものであり、
前記ステップ（ｃ）は、前記ステップ（ｂ）の前記判断に従って、前記ハンドセットが範囲限界を越えたまたはその範囲限界内に戻ったときには、前記パケット構成を変更するステップを含むものである、
請求項１１に記載の方法。
【請求項１３】  前記複数のパケット構成は、
１オーディオ・データ・サンプル当たり最大数のビットと最小数のエラー訂正ビットとを有する高品質パケット構成と、
１オーディオ・データ・サンプル当たり中間数のビットと中間数のエラー訂正ビットとを有する中品質パケット構成と、
１オーディオ・データ・サンプル当たり最小数のビットと最大数のエラー訂正ビットとを有する低品質パケット構成と、からなるものである、請求項１１に記載の方法。
【請求項１４】  前記高品質オーディオ・パケット構成はバースト・エラー訂正巡回符号を使用し、前記中品質オーディオ・パケット構成は２×インタリーブ型バースト・エラー訂正巡回符号を使用し、前記低品質オーディオ・パケット構成は４×インタリーブ型バースト・エラー訂正巡回符号を使用するものである、請求項１３に記載の方法。
【請求項１５】  前記オーディオ・パケットは、オーディオ・パケット・ヘッダ・フィールド、データ・フィールド、固定数のオーディオ・データ・サンプルを含むオーディオ・データ・フィールド、および前記複数のエラー訂正ビットを含むパリティ・ビット・フィールドからなるものである、請求項１４に記載の方法。
【請求項１６】  前記中品質および低品質パケット構成において、余分なエラー訂正ビットは、一部がパリティ・ビット・フィールドに、および一部がヘッダ・フィールドに配分されて、中品質または低品質パケット構成オーディオ・パケットを用いるディジタル・リンクに関連付けられたより高いエラー・レートの所与のオーディオ・パケットを前記システムによってロックオンするためのより長い時間を与えるものである、請求項１５に記載のシステム。
【請求項１７】  第２の送受信機と通信する第１の送受信機であって、
（ａ）無線チャネル上で前記第２の送受信機との間に設定されたディジタル・リンクを介して送信される固定サイズのオーディオ・パケットを符号化する符合化器部分を具え、
特徴として、
前記ディジタル・リンクは、固定数のオーディオ・データ・サンプルと複数のエラー訂正ビットとからなる固定サイズのオーディオ・パケットを使用し、各オーディオ・パケットは複数のパケット構成の中の１つを有するものであり、
さらに、
（ｂ）前記無線チャネル上で前記第２の送受信機から受信した固定サイズのデータ・パケットを復号する復号器部分と、
（ｃ）前記復号器部分に接続されたエラー・レート・モニタであって、前記受信したオーディオ・データ・パケットにおいて判定されたビット・エラー・レートに基づいて、前記第１と第２の送受信機が互いに範囲限界を越えているかまたはその範囲限界内に収まっているかを判断し、この判断に応答して、前記固定サイズを有する後続のオーディオ・パケットが、前記第１と第２の送受信機が範囲限界を越えた場合にはより少数のビットを前記固定数のオーディオ・データ・サンプルの各々に割り当てかつより多数のビットをエラー訂正に割り当てるように、また、前記第１と第２の送受信機が範囲限界内に収まった場合にはその逆の形態になるように、前記後続のオーディオ・パケットのパケット構成が変更されることを要求するエラー・レート・モニタと、
を具える、第１の送受信機。
【請求項１８】  前記複数のパケット構成は、
１オーディオ・データ・サンプル当たり最大数のビットと最小数のエラー訂正ビットとを有する高品質パケット構成と、
１オーディオ・データ・サンプル当たり中間数のビットと中間数のエラー訂正ビットとを有する中品質パケット構成と、
１オーディオ・データ・サンプル当たり最小数のビットと最大数のエラー訂正ビットとを有する低品質パケット構成と、からなるものであり、
前記高品質オーディオ・パケット構成はバースト・エラー訂正巡回符号を使用し、
前記中品質オーディオ・パケット構成は２×インタリーブ型バースト・エラー訂正巡回符号を使用し、
前記低品質オーディオ・パケット構成は４×インタリーブ型バースト・エラー訂正巡回符号を使用するものである、請求項１７に記載の第１の送受信機。
【請求項１９】  前記オーディオ・パケットは、オーディオ・パケット・ヘッダ・フィールド、データ・フィールド、固定数のオーディオ・データ・サンプルを含むオーディオ・データ・フィールド、および前記複数のエラー訂正ビットを含むパリティ・ビット・フィールドからなるものである、請求項１８に記載の第１の送受信機。
【請求項２０】  前記中品質および低品質パケット構成において、余分なエラー訂正ビットは、一部がパリティ・ビット・フィールドに、一部がヘッダ・フィールドに配分されて、中品質または低品質パケット構成オーディオ・パケットを用いるディジタル・リンクに関連付けられたより高いエラー・レートの所与のオーディオ・パケットを前記システムによってロックオンするためのより長い時間を与えるものである、請求項１９に記載の第１の送受信機。
【手続補正３】
【補正対象書類名】明細書
【補正対象項目名】０００７
【補正方法】変更
【補正の内容】
【０００７】
発明の概要
無線電話システムは、１つ以上の外部電話回線に接続可能でベース送受信機を有するべースユニットと、少なくとも１つの無線ハンドセットと、を具える。無線ハンドセットは、ベースユニットとの間にそのベース送受信機を介して無線チャネル上でディジタル・リンクを設定（確立）するハンドセット送受信機を有する。ハンドセットとベースユニットは、ディジタル・リンクを介して、複数のオーディオ・データ・サンプルと複数のエラー訂正ビットとからなる固定サイズ（ｆｉｘｅｄ−ｓｉｚｅ）オーディオ・パケットによって、通信する。ディジタル・リンク品質がモニタされて、ハンドセットが距離範囲限界を超えているかどうか判定される。その判定に応答して、後続のオーディオ・パケットのパケット構成が第１のパケット構成から第２のパケット構成に変更されて、オーディオ・データ・サンプルとエラー訂正ビットとに割り当てられる相対的なビット数が変更される。
１９９５年７月２１付けで出願され１９９６年１月２４日に公開された英国特許出願第２２９１５７０Ａ号には、適応型エラー訂正装置が記載されている。その装置において、通信チャネルのエラー状態が測定され、次いで、その通信チャネルのエラー状態に応じて複数のエラー訂正符号化システムの中の１つが選択される。一般的に、この文献において、複数のエラー符号化システムの中の１つが選択され、その際、より高いエラーが測定されたときには、より低い品質のデータが符号化されて固定数のエラー訂正ビットによるエラー訂正を受けるようにし、その結果、より重要度の高いデータだけが固定数のエラー訂正ビットによってエラーから保護され、即ちより少数のデータ・ビットに対するエラー訂正が改善するように、利用可能なエラー訂正ビットをそのより少数のデータ・ビットに適用する。
請求の範囲と実施例との対応関係を図面で使われている参照符号で示すと次の通りである。
（請求項１）  （ａ）１つ以上の外部電話回線（１１５）に接続可能で、ベース送受信機（１１１、１１２）を有するべースユニット（１１０）と、
（ｂ）前記ベースユニットとの間に前記ベース送受信機を介して無線チャネル上でディジタル・リンクを設定するハンドセット送受信機（１２１、１２２）を有する、少なくとも１つの無線ハンドセット（１２０ｉ）と、
を具え、
特徴として、
前記ディジタル・リンクは、固定数のオーディオ・データ・サンプル（３１３、３２３、３３３）と複数のエラー訂正ビット（３１４）とからなる固定サイズのオーディオ・パケット（２２０）を使用し、各オーディオ・パケットは、複数のパケット構成（３１０、３２０、３３０）の中の１つを有し、
さらに、
（ｃ）前記ディジタル・リンクをモニタして（４１０）、前記ハンドセットおよび前記ベースユニットのうち一方によって前記チャネル上で受信したオーディオ・パケットのビット・エラー・レートの変化を判定する手段と、
（ｄ）前記判定に応答して、前記固定サイズを有する後続のオーディオ・パケットが、前記エラー・レートが増大した場合にはより少数のビットを前記固定数のオーディオ・データ・サンプルの各々に割り当てかつより多数のビットをエラー訂正に割り当てるように、また、前記エラー・レートが減少した場合にはその逆の形態になるように、前記後続のオーディオ・パケットのパケット構成を変更する手段（４００）と、
を具える、無線電話システム（１００）。
（請求項２）  前記データ・サンプルは適応型差分パルス・コード変調（ＡＤＰＣＭ）サンプルであり、各ＡＤＰＣＭサンプルは多数のビットを有するものである、請求項１に記載のシステム。
（請求項３）  前記ベースユニット（１１０）は前記手段（ｃ）および手段（ｄ）を含むものである、請求項１に記載のシステム。
（請求項４）  前記ビット・エラー・レートが閾値を越えたまたはその閾値より低くなった場合には、前記ハンドセットは範囲限界を越えたまたはその範囲限界内に収まったと判断され、
前記ハンドセットが範囲限界を越えたまたはその範囲限界内に戻ったときには、手段（ｄ）がパケット構成を変更するものである、請求項１に記載のシステム。
（請求項５）  （ｅ）前記ハンドセットおよび前記ベースユニットのうちの一方によって前記チャネル上で受信した信号強度をモニタする手段（４１０）をさらに具え、
後続のオーディオ・パケットのパケット構成を変更する前記手段（ｄ）は、前記手段（ｃ）の前記判定と前記手段（ｅ）の判定のうちの少なくとも一方に応答して前記パケット構成を変更するものである、
請求項１に記載のシステム。
（請求項６）  前記複数のパケット構成は、
１オーディオ・データ・サンプル当たり最大数のビットと最小数のエラー訂正ビットとを有する高品質パケット構成（３１０）と、
１オーディオ・データ・サンプル当たり中間数のビットと中間数のエラー訂正ビットとを有する中品質パケット構成（３２０）と、
１オーディオ・データ・サンプル当たり最小数のビットと最大数のエラー訂正ビットとを有する低品質パケット構成（３３０）と、からなるものである、請求項１に記載のシステム。
（請求項７）  前記高品質オーディオ・パケット構成（３１０）は（８５、７５）バースト・エラー訂正巡回符号を使用し、
前記中品質オーディオ・パケット構成（３２０）は２×インタリーブ型（３８、２９）バースト・エラー訂正巡回符号を使用し、
前記低品質オーディオ・パケット構成（３１０）は４×インタリーブ型（１９、１１）バースト・エラー訂正巡回符号を使用するものである、請求項６に記載のシステム。
（請求項８）  前記オーディオ・パケットは、オーディオ・パケット・ヘッダ・フィールド（３１１、３２１）、データ・フィールド（３１２）、固定数のオーディオ・データ・サンプルを含むオーディオ・データ・フィールド（３１３、３２３、３３３）、および前記複数のエラー訂正ビットを含むパリティ・ビット・フィールド（３１４、３２４）からなるものである、請求項７に記載のシステム。
（請求項９）  前記中品質および低品質パケット構成において、余分なエラー訂正ビットは、一部がパリティ・ビット・フィールドに、一部がヘッダ・フィールドに割り当てられ、中品質または低品質パケット構成オーディオ・パケットを用いるディジタル・リンクに関連付けられたより高いエラー・レートの所与のオーディオ・パケットを前記システムによってロックオンするためのより長い時間を与えるものである、請求項８に記載のシステム。
（請求項１０）  前記ハンドセット（１２０ｉ）を含む複数の無線ハンドセット（１２０）をさらに具え、
前記ベースユニット（１２０）は複数の論理ベース送受信機を有し、
前記複数のハンドセットの各ハンドセットは、前記ベースユニットとの間に、対応する論理ベース送受信機を介して、共用ＲＦチャネル上で時分割多元接続（ＴＤＭＡ）リンクを設定するハンドセット送受信機を有するものであり、
アクティブなハンドセットにタイムスライスを割り当てるＴＤＭＡ方式（２００）の排他的タイムスライスの期間に、各ハンドセットが通信するものである、請求項１に記載のシステム。
（請求項１１）  無線電話システム（１００）におけるベースユニット（１１０）と無線ハンドセット（１２０ｉ）の間で通信する方法であって、
前記ベースユニットは、１つ以上の外部電話回線（１１５）に接続可能で、ベース送受信機（１１１、１１２）を有し、
前記ハンドセットはハンドセット送受信機（１２１、１２２）を具えるものであり、
（ａ）前記ハンドセット送受信機と前記ベース送受信機の間に、無線チャネル上でディジタル・リンクを設定するステップを含み、
特徴として、
前記ディジタル・リンクは、固定数のオーディオ・データ・サンプル（３１３、３２３、３３３）と複数のエラー訂正ビット（３１４）とからなる固定サイズのオーディオ・パケット（２２０）を使用し、
各オーディオ・パケットは複数のパケット構成（３１０、３２０、３３０）の中の１つを有するものであり、
さらに、
（ｂ）前記ディジタル・リンクをモニタして、前記ハンドセットおよび前記ベースユニットのうちの一方によって前記チャネル上で受信したオーディオ・パケットのビット・エラー・レートの変更を判定するステップ（４１０）と、
（ｃ）前記判定に応答して、前記固定サイズを有する後続のオーディオ・パケットが、前記エラー・レートが増大した場合にはより少数のビットを前記固定数のオーディオ・データ・サンプルの各々に割り当てかつより多数のビットをエラー訂正に割り当てるように、また、前記エラー・レートが減少した場合にはその逆の形態になるように、前記後続のオーディオ・パケットのパケット構成を変更するステップ（４００）と、
を含む、方法。
（請求項１２）  前記ステップ（ｂ）は、前記ビット・エラー・レートが閾値を越えたまたはその閾値より低くなった場合には、前記ハンドセットがそれぞれ範囲限界を越えたまたはその範囲限界内に収まったと判断するステップを含むものであり、
前記ステップ（ｃ）は、前記ステップ（ｂ）の前記判断に従って、前記ハンドセットが範囲限界を越えたまたはその範囲限界内に戻ったときには、前記パケット構成を変更するステップを含むものである、
請求項１１に記載の方法。
（請求項１３）  前記複数のパケット構成は、
１オーディオ・データ・サンプル当たり最大数のビットと最小数のエラー訂正ビットとを有する高品質パケット構成（３１０）と、
１オーディオ・データ・サンプル当たり中間数のビットと中間数のエラー訂正ビットとを有する中品質パケット構成（３２０）と、
１オーディオ・データ・サンプル当たり最小数のビットと最大数のエラー訂正ビットとを有する低品質パケット構成（３３０）と、からなるものである、請求項１１に記載の方法。
（請求項１４）  前記高品質オーディオ・パケット構成（３１０）は（８５、７５）バースト・エラー訂正巡回符号を使用し、前記中品質オーディオ・パケット構成（３２０）は２×インタリーブ型（３８、２９）バースト・エラー訂正巡回符号を使用し、前記低品質オーディオ・パケット構成（３１０）は４×インタリーブ型（１９、１１）バースト・エラー訂正巡回符号を使用するものである、請求項１３に記載の方法。
（請求項１５）  前記オーディオ・パケットは、オーディオ・パケット・ヘッダ・フィールド（３１１、３２１）、データ・フィールド（３１２）、固定数のオーディオ・データ・サンプルを含むオーディオ・データ・フィールド（３１３、３２３、３３３）、および前記複数のエラー訂正ビットを含むパリティ・ビット・フィールド（３１４、３２４）からなるものである、請求項１４に記載の方法。
（請求項１６）  前記中品質および低品質パケット構成において、余分なエラー訂正ビットは、一部がパリティ・ビット・フィールドに、および一部がヘッダ・フィールドに配分されて、中品質または低品質パケット構成オーディオ・パケットを用いるディジタル・リンクに関連付けられたより高いエラー・レートの所与のオーディオ・パケットを前記システムによってロックオンするためのより長い時間を与えるものである、請求項１５に記載のシステム。
（請求項１７）  第２の送受信機（１１１、１１２；１２１、１２２）と通信する第１の送受信機（４００）であって、
（ａ）無線チャネル上で前記第２の送受信機との間に設定されたディジタル・リンクを介して送信される固定サイズのオーディオ・パケットを符号化する符合化器部分を具え、
特徴として、
前記ディジタル・リンクは、固定数のオーディオ・データ・サンプル（３１３、３２３、３３３）と複数のエラー訂正ビット（３１４）とからなる固定サイズのオーディオ・パケット（２２０）を使用し、各オーディオ・パケットは複数のパケット構成（３１０、３２０、３３０）の中の１つを有するものであり、
さらに、
（ｂ）前記無線チャネル上で前記第２の送受信機から受信した固定サイズのデータ・パケットを復号する復号器部分と、
（ｃ）前記復号器部分に接続されたエラー・レート・モニタ（４１０）であって、前記受信したオーディオ・データ・パケットにおいて判定されたビット・エラー・レートに基づいて、前記第１と第２の送受信機が互いに範囲限界を越えているかまたはその範囲限界内に収まっているかを判断し、この判断に応答して、前記固定サイズを有する後続のオーディオ・パケットが、前記第１と第２の送受信機が範囲限界を越えた場合にはより少数のビットを前記固定数のオーディオ・データ・サンプルの各々に割り当てかつより多数のビットをエラー訂正に割り当てるように、また、前記第１と第２の送受信機が範囲限界内に収まった場合にはその逆の形態になるように、前記後続のオーディオ・パケットのパケット構成が変更されることを要求するエラー・レート・モニタと、
を具える、第１の送受信機。
（請求項１８）  前記複数のパケット構成は、
１オーディオ・データ・サンプル当たり最大数のビットと最小数のエラー訂正ビットとを有する高品質パケット構成（３１０）と、
１オーディオ・データ・サンプル当たり中間数のビットと中間数のエラー訂正ビットとを有する中品質パケット構成（３２０）と、
１オーディオ・データ・サンプル当たり最小数のビットと最大数のエラー訂正ビットとを有する低品質パケット構成（３３０）と、からなるものであり、
前記高品質オーディオ・パケット構成（３１０）は（８５、７５）バースト・エラー訂正巡回符号を使用し、
前記中品質オーディオ・パケット構成（３２０）は２×インタリーブ型（３８、２９）バースト・エラー訂正巡回符号を使用し、
前記低品質オーディオ・パケット構成（３１０）は４×インタリーブ型（１９、１１）バースト・エラー訂正巡回符号を使用するものである、請求項１７に記載の第１の送受信機。
（請求項１９）  前記オーディオ・パケットは、オーディオ・パケット・ヘッダ・フィールド（３１１、３２１）、データ・フィールド（３１２）、固定数のオーディオ・データ・サンプルを含むオーディオ・データ・フィールド（３１３、３２３、３３３）、および前記複数のエラー訂正ビットを含むパリティ・ビット・フィールド（３１４、３２４）からなるものである、請求項１８に記載の第１の送受信機。
（請求項２０）  前記中品質および低品質パケット構成において、余分なエラー訂正ビットは、一部がパリティ・ビット・フィールドに、一部がヘッダ・フィールドに配分されて、中品質または低品質パケット構成オーディオ・パケットを用いるディジタル・リンクに関連付けられたより高いエラー・レートの所与のオーディオ・パケットを前記システムによってロックオンするためのより長い時間を与えるものである、請求項１９に記載の第１の送受信機。
【手続補正４】
【補正対象書類名】図面
【補正対象項目名】図２
【補正方法】変更
【補正の内容】
【図２】
2002509387.tif 000001